(57)【要約】      （修正有）【課題】印刷済み記録媒体が他人に取られるのを防止すると共に、長時間の印刷待ち状況を抑制可能で、利便性の高い印刷システムを提供する。【解決手段】ユーザ端末は、認証カードから認証情報を読み出し、記憶されている印刷データを認証情報と共に情報管理装置に送信する。情報管理装置は、ユーザ端末からの認証情報及び印刷データ、印刷装置からの装置識別番号を受信し、認証情報及び印刷データを格納する。印刷装置は、認証カードから認証情報を読み出し、装置識別番号及び認証情報を情報管理装置へ送信する。情報管理装置は、受信した認証情報に基づいて格納されている印刷データを判定し、装置識別番号に基づいて判定された印刷データを認証情報に対応させて印刷装置へ送信する。印刷装置は、読み出された認証情報に基づいて情報管理装置から受信された印刷データを判定し、印刷データを記録媒体に印刷する。【選択図】図１
2008262550.tif 000002
【特許請求の範囲】
【請求項１】
１人以上のユーザに利用される複数のユーザ端末と、該ユーザ端末に通信回線を介して通信可能に接続し且つ装置識別情報を有する複数の印刷装置と、前記通信回線を介して各前記ユーザ端末及び各前記印刷装置に接続している少なくとも一つの情報管理装置と、各前記ユーザを認証する複数の認証カードとを含む印刷システムであって、
前記認証カードは、前記ユーザ端末を使用する前記ユーザを認証する認証情報を記憶する認証情報記憶部を有し、
前記ユーザ端末は、
印刷すべき印刷データを記憶する印刷データ記憶部と、
前記認証カードから前記認証情報を読み出す端末側読出部と、
前記印刷データを、前記認証情報と共に前記情報管理装置に送信する端末側送信部とを備え、
前記情報管理装置は、
前記ユーザ端末から前記認証情報及び前記印刷データを受信し、前記印刷装置から前記装置識別情報を受信するための管理側受信部と、
受信された前記認証情報及び前記印刷データを格納する格納部とを備え、
前記印刷装置は、
前記認証カードから前記認証情報を読み出す印刷側読出部と、
前記装置識別情報及び読み出された前記認証情報を前記情報管理装置へ送信する印刷側送信部とを備え、
前記情報管理装置は、更に、
前記管理側受信部によって前記装置識別情報及び前記認証情報を受信すると、受信した前記認証情報に基づいて、前記格納部に格納されている前記印刷データを判定する管理側判定部と、
前記装置識別情報に基づいて、判定された印刷データを前記認証情報に対応させて前記印刷装置へ送信する管理側送信部とを備え、
前記印刷装置は、更に、
前記情報管理装置から前記認証情報と前記印刷データを受信する印刷側受信部と、
読み出された前記認証情報に基づいて、受信された前記印刷データを判定する印刷側判定部と、
判定された印刷データを記録媒体に印刷する印刷部とを備える
ことを特徴とする印刷システム。
【請求項２】
前記ユーザ端末は、更に、前記認証情報に基づいて暗号鍵を生成する暗号鍵生成部分と、生成された前記暗号鍵に基づいて前記印刷データを暗号化する暗号化部分とを有する暗号化実行部を備え、
前記印刷装置は、更に、前記認証情報に基づいて復号鍵を生成する復号鍵生成部分と、生成された前記復号鍵に基づいて前記印刷データを復号化する復号化部分とを有する復号化実行部を備え、
前記端末側送信部によって送信された前記印刷データは、前記暗号化実行部によって暗号化された印刷データである
ことを特徴とする請求項１記載の印刷システム。
【請求項３】
前記ユーザ端末は、ランダム数を発生するランダム数発生器を更に備え、
前記ランダム数が、前記情報管理装置を介して、前記ユーザ端末から前記印刷装置へ送信され、
前記暗号鍵生成部分は、前記認証情報及び発生された前記ランダム数に基づいて暗号鍵を生成し、
前記復号鍵生成部分は、受信した前記ランダム数及び読み出された前記認証情報に基づいて復号鍵を生成する
ことを特徴とする請求項２記載の印刷システム。
【請求項４】
前記送信部が送信すべき前記認証情報は、前記暗号化部分によって暗号化された後に、前記情報管理装置に送信され、
前記印刷装置の前記復号化部分は、更に、暗号化された前記認証情報を復号化する
ことを特徴とする請求項２記載の印刷システム。
【請求項５】
前記印刷装置は、前記ユーザに操作させるための印刷側入力表示部と、前記判定部に判定された前記印刷データを削除するための印刷側判断制御部とを更に備え、
前記情報管理装置から前記印刷データが受信すると、前記印刷側入力表示部は前記印刷データを削除するか印刷するかを前記ユーザに問い合わせるための問い合わせ画面を表示して前記ユーザに操作させ、
前記印刷側入力表示部から削除を示す削除信号が出力されると、前記印刷側判断制御部は、前記印刷部を実行させずに、前記印刷データを削除し、前記印刷側入力表示部から印刷を示す印刷信号が出力されると、前記印刷側判断制御部は、前記印刷部に印刷を実行させる
ことを特徴とする請求項１記載の印刷システム。
【請求項６】
前記認証情報は、数値型の認証番号及び文字型の認証名前のいずれかであることを特徴とする請求項１記載の印刷システム。
【請求項７】
前記装置識別情報は、ＩＰアドレスであることを特徴とする請求項１記載の印刷システム。
【請求項８】
前記ユーザ端末は、自己の端末識別子を記憶する端末番号記憶部と、前記情報管理装置に格納されている前記印刷データの状態を確認するために確認コマンドをユーザに入力させる端末側入力表示部とを更に備え、
前記端末側送信部は、前記端末識別子及び前記確認コマンドを前記認証情報に対応させて前記情報管理装置へ送信し
前記情報管理装置は、前記印刷データの状態を示す状態データを生成する状態データ生成部を更に備え、
前記格納部は、更に生成された前記状態データを格納し、
前記管理側判定部は、更に受信した前記確認コマンド及び前記認証情報に基づいて前記状態データを判定し、
前記管理側送信部は、受信した前記端末識別子に基づいて、判定された前記状態データを前記ユーザ端末へ送信することを特徴とする請求項１記載の印刷システム。
【請求項９】
前記端末側入力表示部は、前記情報管理装置から受信した前記状態データを表示して、ユーザに前記状態データを選択させ、且つ、前記ユーザに前記印刷データを前記情報管理装置から削除すべき削除コマンドを入力させ、
前記端末側送信部は、前記削除コマンドと前記状態データとを前記認証情報に対応させて前記情報管理装置へ送信し
前記情報管理装置は、受信した前記削除コマンド、前記状態データ及び前記認証情報に基づいて、前記格納部から前記印刷データ及び前記状態データを削除する管理側削除部を更に備える
ことを特徴とする請求項８記載の印刷システム。
【請求項１０】
前記複数のユーザ端末は二つ以上のグループに分割され、前記複数の印刷装置は前記二つ以上のグループに分割され、前記情報管理装置は複数に設定され、該複数の情報管理装置は、それぞれ、各前記クループに対応して動作を行うことを特徴とする請求項８記載の印刷システム。
【請求項１１】
各ユーザに利用される複数のユーザ端末と、該ユーザ端末に通信回線を介して通信可能に接続し且つ装置識別情報を有する複数の印刷装置と、各前記ユーザ端末及び各前記印刷装置を管理するための少なくとも一つの情報管理ユニットと、各前記ユーザに対応して専用される複数の認証カードとを含む印刷システムであって、
前記認証カードは、対応の前記ユーザを認証すべき認証情報を予め記憶し、
前記ユーザ端末は、
印刷すべき印刷データを記憶する印刷データ記憶部と、
前記認証カードから前記認証情報を読み出す端末側読出部と、
前記印刷データを、前記認証情報と共に前記情報管理ユニットに送る端末側送信部とを備え、
前記情報管理ユニットは、
前記ユーザ端末から前記認証情報及び前記印刷データを受信し、前記印刷装置から前記装置識別情報を受けるための管理側受信部と、
受信された前記前記認証情報及び前記印刷データを格納する格納部とを備え、
前記印刷装置は、
前記認証カードから前記認証情報を読み出す印刷側読出部と、
前記装置識別情報及び読み出された前記認証情報を前記情報管理ユニットへ送る印刷側送信部とを備え、
前記情報管理ユニットは、更に、
前記管理側受信部によって前記装置識別情報及び前記認証情報を受けると、受信した前記認証情報に基づいて、前記格納部に格納されている前記印刷データを判定する管理側判定部と、
前記装置識別情報に基づいて、判定された印刷データを前記認証情報に対応させて前記印刷装置へ送る管理側送信部とを備え、
前記印刷装置は、更に、
前記情報管理ユニットから前記認証情報と前記印刷データを受ける印刷側受信部と、
読み出された前記認証情報に基づいて、受信された前記印刷データを判定する印刷側判定部と、
判定された印刷データを記録媒体に印刷する印刷部とを備える
ことを特徴とする印刷システム。
【請求項１２】
前記ユーザ端末は、更に、前記認証情報に基づいて暗号鍵を生成する暗号鍵生成部分と、生成された前記暗号鍵に基づいて前記印刷データを暗号化する暗号化部分とを有する暗号化実行部を備え、
前記印刷装置は、更に、前記認証情報に基づいて復号鍵を生成する復号鍵生成部分と、生成された前記復号鍵に基づいて前記印刷データを復号化する復号化部分とを有する復号化実行部を備え、
前記端末側送信部によって送信された前記印刷データは、前記暗号化実行部によって暗号化された印刷データである
ことを特徴とする請求項１１記載の印刷システム。
【請求項１３】
前記ユーザ端末は、更に、
ランダム数を発生するランダム数発生器と、
前記認証カードから前記認証情報を読み出し、且つ、前記ランダム数発生器が発生した前記ランダム数を前記認証カードに書き込む読書部と、
前記認証情報及び前記ランダム数の中少なくとも前記ランダム数に基づいて暗号鍵を生成する暗号鍵生成部分、及び生成された前記暗号鍵に基づいて前記印刷データを暗号化する暗号化部分を有する暗号化実行部とを備え、
前記端末側送信部によって送信された前記印刷データは、前記暗号化実行部によって暗号化された印刷データからなり、
前記印刷側読出部は、前記前記認証情報と共に更に前記ランダム数を読み出し、
前記印刷装置は、更に、前記認証情報及び前記ランダム数の中少なくとも前記ランダム数に基づいて復号鍵を生成する復号鍵生成部分と、生成された前記復号鍵に基づいて前記印刷データを復号化する復号化部分とを有する復号化実行部を備える
ことを特徴とする請求項１１記載の印刷システム。
【請求項１４】
前記情報管理ユニットは、前記複数のユーザ端末のいずれかに設けられることを特徴とする請求項１１記載の印刷システム。
【請求項１５】
前記情報管理ユニットは、前記複数の印刷装置のいずれかに設けられることを特徴とする請求項１１記載の印刷システム。
【請求項１６】
各ユーザに利用される複数のユーザ端末と、該ユーザ端末に通信回線を介して通信可能に接続し且つ装置識別情報を有する複数の印刷装置と、前記通信回線を介して各前記ユーザ端末及び各前記印刷装置に接続している情報管理装置と、各前記ユーザに対応して専用される複数の認証カードとを含む印刷システムであって、
前記認証カードは、対応の前記ユーザを認証すべき認証情報を予め記憶し、
前記ユーザ端末は、
印刷すべき印刷データを記憶する印刷データ記憶部と、
前記認証カードから前記認証情報を読み出す端末側読出部と、
前記認証情報に基づいて前記印刷データに対して暗号化を実行する暗号化実行部と、
前記認証情報に対して所定演算を行い、該認証情報に対応する演算結果を取得する端末側結果取得部と、
暗号化された前記印刷データに前記演算結果を添付して、該印刷データと該演算結果とを前記情報管理装置に送信する端末側送信部とを備え、
前記情報管理装置は、
前記ユーザ端末から前記演算結果及び前記印刷データを受信し、前記印刷装置から前記装置識別情報を受信するための管理側受信部と、
受信された前記前記演算結果及び前記印刷データを格納する格納部とを備え、
前記印刷装置は、
前記認証カードから前記認証情報を読み出す印刷側読出部と、
読み出された前記認証情報に対して前記所定演算を行い、該認証情報に対応する演算結果を取得する印刷側結果取得部と、
前記装置識別情報及び取得された前記演算結果を前記情報管理装置へ送信する印刷側送信部とを備え、
前記情報管理装置は、更に、
前記管理側受信部によって前記装置識別情報及び前記演算結果を受信すると、受信した前記演算結果に基づいて、前記格納部に格納されている前記印刷データを判定する管理側判定部と、
前記装置識別情報に基づいて、判定された印刷データを前記演算結果に対応させて前記印刷装置へ送信する管理側送信部とを備え、
前記印刷装置は、更に、
前記情報管理装置から前記演算結果及び前記印刷データを受信する印刷側受信部と、
取得された前記演算結果に基づいて、受信された前記印刷データを判定する印刷側判定部と、
読み出された前記認証情報に基づいて、判定部によって判定された前記印刷データに対して復号化を実行する復号化実行部と、
判定された印刷データを記録媒体に印刷する印刷部とを備える
ことを特徴とする印刷システム。
【請求項１７】
前記端末側結果取得部及び前記印刷側結果取得部は、前記所定演算に対応する演算式を予め記憶していることを特徴とする請求項１６記載の印刷システム。
【請求項１８】
前記暗号化実行部は、前記認証情報に基づいて暗号鍵を生成する暗号鍵生成部分と、生成された前記暗号鍵に基づいて前記印刷データを暗号化する暗号化部分とを有し、
前記復号化実行部は、前記認証情報に基づいて復号鍵を生成する復号鍵生成部分と、生成された前記復号鍵に基づいて前記印刷データを復号化する復号化部分とを有する
ことを特徴とする請求項１６記載の印刷システム。
【請求項１９】
一つ以上の画像処理装置と通信回線を介して接続可能な画像形成装置において、
一つ以上の可搬性識別媒体からユーザを識別する識別情報を読み出す装置側読出部と、
前記装置側読出部で前記識別情報を読み出すと暗号化した画像データを保持するデータ保持装置に対し画像データの取得指示を出力する送信部と、
前記データ保持装置から前記画像データと前記画像データに関連付けられた識別情報を受信する受信部と、
装置側読出部で読み出された前記識別情報に基づいて受信した前記画像データの識別情報を判定する判定部と、
判定された前記画像データに対して復号化を実行する復号化実行部と、
復号化された画像データに基づき画像形成を行う画像形成部と、
を含むことを特徴とする画像形成装置。
【請求項２０】
一つ以上の画像処理装置と通信回線を介して接続可能な画像形成装置において、
一つ以上の可搬性識別媒体からユーザを識別する識別情報を読み出す装置側読出部と、
前記読み出された識別情報に予め決められた演算を行い装置側演算結果を得る装置側演算結果取得部と、
前記装置側読出部で前記識別情報を読み出すと暗号化した画像データを保持するデータ保持装置に対し、画像データの取得指示を出力する送信部と、
前記データ保持装置から前記画像データと前記画像データに関連付けられた識別情報を受信する受信部と、
受信した識別情報に対し前記演算を行って得た演算結果が前記装置側演算結果と一致するか否かを判定する判定部と、
一致と判定された前記画像データに対して復号化を実行する復号化実行部と、
復号化された画像データに基づき画像形成を行う画像形成部と、
を含むことを特徴とする画像形成装置。
【発明の詳細な説明】
【技術分野】
【０００１】
本発明は、各ユーザ端末からの印刷データに基づいてそれぞれの印刷装置で各印刷を行う印刷システムに関し、特に、各印刷データが一つの印刷装置に集中することによって生じた長時間の印刷待ち状況を抑制可能な印刷システム及び画像形成装置に関するものである。
【背景技術】
【０００２】
印刷システムとして、各ユーザに利用される複数のユーザ端末と、通信回線を介してこれらユーザ端末に接続している複数の印刷装置とを含むシステムが採用されている。該印刷システムにおいて、印刷すべき各印刷データを印刷するために、ユーザ端末にてユーザの操作によって複数の印刷装置のいずれかが指定された後に、印刷データが指定された印刷装置へ送信され、そして、この指定された印刷装置にて印刷データが記録媒体に印刷され、また、印刷済み記録媒体が排出される。
【０００３】
このような印刷システムとして、下記特許文献１に記載されているように、印刷済み記録媒体が他人に取られるのを防止可能な印刷システムが提供されている。この印刷システムにおいて、ユーザに携帯される非接触型ＩＣカードが設けられ、印刷データが印刷装置に送信された後、ユーザが直接印刷装置に行って該非接触型ＩＣカードを印刷装置の読出部に挿入することによって、ユーザの認証が行われ、そして、ユーザがその場で待っている間、対応の印刷データの印刷が認証印刷として行われる。
【特許文献１】特開２００５−３３５２８２号公報
【発明の開示】
【発明が解決しようとする課題】
【０００４】
しかしながら、このような印刷システムにおいて、上記したように、印刷装置がユーザによって任意に指定されるので、多数のユーザが同一の印刷装置を指定した場合、各印刷データが集中してこの同一に指定された印刷装置へ送信されてしまう。そして、この場合には、各ユーザが印刷データの印刷を行うために自分の認証カードを携帯して同一の印刷装置へ同時に出向くことになる。そのため、この同一の印刷装置に対して、各ユーザが並び、自己の印刷順番になるまでを長時間待たなければならず、ユーザにとって非常に面倒である。
【０００５】
従って、印刷済み記録媒体を他人に取られるのを防止すると共に、上記のような長時間の印刷待ち状況を抑制可能な印刷システムが望まれている。
また、印刷済み記録媒体を他人に取られるのを防止し、且つ、印刷データの守密性を向上し、更に、上記のような長時間の印刷待ち状況を抑制可能な印刷システムが望まれている。
【課題を解決するための手段】
【０００６】
本発明は、以上の点を解決するために、次の構成を採用する。
〈構成１〉
本発明は、一つの印刷システムを提供する。
本発明に係る印刷システムは、各ユーザに利用される複数のユーザ端末と、該ユーザ端末に通信回線を介して通信可能に接続し且つ装置識別情報を有する複数の印刷装置と、通信回線を介して各ユーザ端末及び各印刷装置に接続している少なくとも一つの情報管理装置と、各ユーザに対応して専用される複数の認証カードを含む印刷システムであって、認証カードは、対応のユーザを認証すべき認証情報を予め記憶し、ユーザ端末は、印刷すべき印刷データを記憶する印刷データ記憶部と、認証カードから認証情報を読み出す端末側読出部と、印刷データを、認証情報と共に情報管理装置に送信する端末側送信部とを備え、情報管理装置は、ユーザ端末から認証情報及び印刷データを受信し、印刷装置から装置識別情報を受信するための管理側受信部と、受信された認証情報及び印刷データを格納する格納部とを備え、印刷装置は、認証カードから認証情報を読み出す印刷側読出部と、装置識別情報及び読み出された認証情報を情報管理装置へ送信する印刷側送信部とを備え、情報管理装置は、更に、管理側受信部によって装置識別情報及び認証情報を受信すると、受信した認証情報に基づいて、格納部に格納されている印刷データを判定する管理側判定部と、装置識別情報に基づいて、判定された印刷データを認証情報に対応させて印刷装置へ送信する管理側送信部とを備え、印刷装置は、更に、情報管理装置から認証情報と印刷データを受信する印刷側受信部と、読み出された認証情報に基づいて、受信された印刷データを判定する印刷側判定部と、判定された印刷データを記録媒体に印刷する印刷部とを備えることを特徴とする印刷システム。
【０００７】
また、本発明に係る印刷システムにおいて、ユーザ端末は、更に、認証情報に基づいて暗号鍵を生成する暗号鍵生成部分と、生成された暗号鍵に基づいて印刷データを暗号化する暗号化部分とを有する暗号化実行部を備え、印刷装置は、更に、認証情報に基づいて復号鍵を生成する復号鍵生成部分と、生成された復号鍵に基づいて印刷データを復号化する復号化部分とを有する復号化実行部を備えることができる。そして、端末側送信部によって送信された印刷データは、暗号化実行部によって暗号化された印刷データとなる。
【０００８】
また、本発明に係る印刷システムにおいて、ユーザ端末は、ランダム数を発生するランダム数発生器を更に備えることができる。
そして、ランダム数が、情報管理装置を介して、ユーザ端末から印刷装置へ送信され、暗号鍵生成部分は、認証情報及び発生されたランダム数に基づいて暗号鍵を生成し、復号鍵生成部分は、受信したランダム数及び読み出された認証情報に基づいて復号鍵を生成する。
【０００９】
また、本発明に係る印刷システムにおいて、送信部が送信すべき認証情報を暗号化部分によって暗号化された後に情報管理装置に送信することができる。そして、印刷装置の復号化部分は、更に、暗号化された認証情報を復号化する。
【００１０】
また、本発明に係る印刷システムにおいて、印刷装置は、ユーザに操作させるための印刷側入力表示部と、判定部に判定された印刷データを削除するための印刷側判断制御部とを更に備えることができる。
そして、情報管理装置から印刷データが受信すると、印刷側入力表示部は印刷データを削除するか印刷するかをユーザに問い合わせるための問い合わせ画面を表示してユーザに操作させ、印刷側入力表示部から削除を示す削除信号が出力されると、印刷側判断制御部は、印刷部を実行させずに、印刷データを削除し、印刷側入力表示部から印刷を示す印刷信号が出力されると、印刷側判断制御部は、印刷部に印刷を実行させる。
【００１１】
また、本発明に係る印刷システムにおいて、認証情報として、数値型の認証番号及び文字型の認証名前のいずれかを採用することができる。
【００１２】
また、本発明に係る印刷システムにおいて、装置識別情報として、ＩＰアドレスを採用することができる。
【００１３】
また、本発明に係る印刷システムにおいて、ユーザ端末は、自己の端末識別子を記憶する端末番号記憶部と、情報管理装置に格納されている印刷データの状態を確認するために確認コマンドをユーザに入力させる端末側入力表示部とを更に備えることができる。そして、端末側送信部は、端末識別子及び確認コマンドを認証情報に対応させて情報管理装置へ送信する。
情報管理装置は、印刷データの状態を示す状態データを生成する状態データ生成部を更に備えることができる。そして、格納部は生成された状態データを更に格納し、管理側判定部は受信した確認コマンド及び認証情報に基づいて状態データを更に判定し、管理側送信部は、受信した端末識別子に基づいて、判定された状態データをユーザ端末へ送信する。
【００１４】
また、本発明に係る印刷システムにおいて、端末側入力表示部は、情報管理装置から受信した状態データを表示してユーザに該状態データを選択させ且つユーザに印刷データを情報管理装置から削除すべき削除コマンドを入力させ、端末側送信部は、削除コマンドと選択された状態データとを認証情報に対応させて情報管理装置へ送信することができる。
そして、情報管理装置は、受信した削除コマンド、状態データ及び認証情報に基づいて、格納部から印刷データ及び状態データを削除する管理側削除部を更に備える。
【００１５】
また、本発明に係る印刷システムにおいて、複数のユーザ端末及び複数の印刷装置は、それぞれ、二つ以上のグループに分割され、情報管理装置は複数に設定され、該複数の情報管理装置は、それぞれ、各クループに対応して動作を行うことができる。
【００１６】
＜構成２＞
また、本発明は、他の印刷システムを提供する。
本発明に係る他の印刷システムは、各ユーザに利用される複数のユーザ端末と、該ユーザ端末に通信回線を介して通信可能に接続し且つ装置識別情報を有する複数の印刷装置と、各ユーザ端末及び各印刷装置を管理するための少なくとも一つの情報管理ユニットと、各ユーザに対応して専用される複数の認証カードを含む印刷システムであって、認証カードは、対応のユーザを認証すべき認証情報を予め記憶し、ユーザ端末は、印刷すべき印刷データを記憶する印刷データ記憶部と、認証カードから認証情報を読み出す端末側読出部と、印刷データを、認証情報と共に情報管理ユニットに送る端末側送信部とを備え、情報管理ユニットは、ユーザ端末から認証情報及び印刷データを受信し、印刷装置から装置識別情報を受けるための管理側受信部と、受信された認証情報及び印刷データを格納する格納部とを備え、印刷装置は、認証カードから認証情報を読み出す印刷側読出部と、装置識別情報及び読み出された認証情報を情報管理ユニットへ送る印刷側送信部とを備え、情報管理ユニットは、更に、管理側受信部によって装置識別情報及び認証情報を受けると、受信した認証情報に基づいて、格納部に格納されている印刷データを判定する管理側判定部と、装置識別情報に基づいて、判定された印刷データを認証情報に対応させて印刷装置へ送る管理側送信部とを備え、印刷装置は、更に、情報管理ユニットから認証情報と印刷データを受ける印刷側受信部と、読み出された認証情報に基づいて、受信された印刷データを判定する印刷側判定部と、判定された印刷データを記録媒体に印刷する印刷部とを備えることを特徴とする。
【００１７】
また、本発明に係る他の印刷システムにおいて、ユーザ端末は、更に、認証情報に基づいて暗号鍵を生成する暗号鍵生成部分と、生成された暗号鍵に基づいて印刷データを暗号化する暗号化部分とを有する暗号化実行部を備え、印刷装置は、更に、認証情報に基づいて復号鍵を生成する復号鍵生成部分と、生成された復号鍵に基づいて印刷データを復号化する復号化部分とを有する復号化実行部を備えることができる。そして、端末側送信部によって送信された印刷データは、暗号化実行部によって暗号化された印刷データになる。
【００１８】
また、本発明に係る他の印刷システムにおいて、ユーザ端末は、更に、ランダム数を発生するランダム数発生器と、認証カードから認証情報を読み出し、且つ、ランダム数発生器が発生したランダム数を認証カードに書き込む読書部と、認証情報及びランダム数の中少なくともランダム数に基づいて暗号鍵を生成する暗号鍵生成部分、及び生成された暗号鍵に基づいて印刷データを暗号化する暗号化部分を有する暗号化実行部とを備え、印刷装置は、更に、認証情報及びランダム数の中少なくともランダム数に基づいて復号鍵を生成する復号鍵生成部分と、生成された復号鍵に基づいて印刷データを復号化する復号化部分とを有する復号化実行部を備えることができる。そして、端末側送信部によって送信された印刷データは、暗号化実行部によって暗号化された印刷データになり、印刷側読出部は、認証情報と共に更にランダム数を読み出す。
【００１９】
また、本発明に係る他の印刷システムにおいて、情報管理ユニットを、複数のユーザ端末のいずれかに設けることができる。
更に、情報管理ユニットを、複数の印刷装置のいずれかに設けることができる。
【００２０】
＜構成３＞
また、本発明は、更に、他の印刷システムを提供する。
本発明に係る他の印刷システムは、各ユーザに利用される複数のユーザ端末と、該ユーザ端末に通信回線を介して通信可能に接続し且つ装置識別情報を有する複数の印刷装置と、通信回線を介して各ユーザ端末及び各印刷装置に接続している情報管理装置と、各ユーザに対応して専用される複数の認証カードを含む印刷システムであって、認証カードは、対応のユーザを認証すべき認証情報を予め記憶し、ユーザ端末は、印刷すべき印刷データを記憶する印刷データ記憶部と、認証カードから認証情報を読み出す端末側読出部と、認証情報に基づいて印刷データに対して暗号化を実行する暗号化実行部と、認証情報に対して所定演算を行い、該認証情報に対応する演算結果を取得する端末側結果取得部と、暗号化された印刷データに演算結果を添付して、該印刷データと該演算結果とを情報管理装置に送信する端末側送信部とを備え、情報管理装置は、ユーザ端末から演算結果及び印刷データを受信し、印刷装置から装置識別情報を受信するための管理側受信部と、受信された演算結果及び印刷データを格納する格納部とを備え、印刷装置は、認証カードから認証情報を読み出す印刷側読出部と、読み出された認証情報に対して所定演算を行い、該認証情報に対応する演算結果を取得する印刷側結果取得部と、装置識別情報及び取得された演算結果を情報管理装置へ送信する印刷側送信部とを備え、情報管理装置は、更に、管理側受信部によって装置識別情報及び演算結果を受信すると、受信した演算結果に基づいて、格納部に格納されている印刷データを判定する管理側判定部と、装置識別情報に基づいて、判定された印刷データを演算結果に対応させて印刷装置へ送信する管理側送信部とを備え、印刷装置は、更に、
情報管理装置から演算結果及び印刷データを受信する印刷側受信部と、取得された演算結果に基づいて、受信された印刷データを判定する印刷側判定部と、読み出された認証情報に基づいて、判定部によって判定された印刷データに対して復号化を実行する復号化実行部と、判定された印刷データを記録媒体に印刷する印刷部とを備えることを特徴とする。
【００２１】
また、本発明に係る他の印刷システムにおいて、端末側結果取得部及び印刷側結果取得部は、所定演算に対応する演算式を予め記憶することができる。
【００２２】
また、本発明に係る他の印刷システムにおいて、暗号化実行部は、認証情報に基づいて暗号鍵を生成する暗号鍵生成部分と、生成された暗号鍵に基づいて印刷データを暗号化する暗号化部分とを有し、復号化実行部は、認証情報に基づいて復号鍵を生成する復号鍵生成部分と、生成された復号鍵に基づいて印刷データを復号化する復号化部分とを有することができる。
【００２３】
＜構成４＞
他の発明は、一つ以上の画像処理装置と通信回線を介して接続可能な画像形成装置において、一つ以上の可搬性識別媒体からユーザを識別する識別情報を読み出す装置側読出部と、装置側読出部で識別情報を読み出すと暗号化した画像データを保持するデータ保持装置に対し画像データの取得指示を出力する送信部と、データ保持装置から画像データと画像データに関連付けられた識別情報を受信する受信部と、装置側読出部で読み出された識別情報に基づいて受信した画像データの識別情報を判定する判定部と、判定された画像データに対して復号化を実行する復号化実行部と、復号化された画像データに基づき画像形成を行う画像形成部とを含むことを特徴とする。
【００２４】
更に他の発明は、一つ以上の画像処理装置と通信回線を介して接続可能な画像形成装置において、一つ以上の可搬性識別媒体からユーザを識別する識別情報を読み出す装置側読出部と、読み出された識別情報に予め決められた演算を行い装置側演算結果を得る装置側演算結果取得部と、装置側読出部で識別情報を読み出すと暗号化した画像データを保持するデータ保持装置に対し、画像データの取得指示を出力する送信部と、データ保持装置から画像データと画像データに関連付けられた識別情報を受信する受信部と、受信した識別情報に対し演算を行って得た演算結果が装置側演算結果と一致するか否かを判定する判定部と、一致と判定された画像データに対して復号化を実行する復号化実行部と、復号化された画像データに基づき画像形成を行う画像形成部とを含むことを特徴とする。
【発明の効果】
【００２５】
本発明に係る印刷システムによれば、印刷装置は、ユーザが携帯する認証カードに対してユーザの認証を行った後印刷を行うので、印刷済み記録媒体が他人に取られるのを防止することができる。
また、情報管理装置あるいは情報管理ユニットが、各ユーザ端末からの印刷データを一括で管理し、いずれかの印刷装置からの装置識別番号を受け取った後に、該印刷装置に対応の印刷データを送るので、ユーザが空いている印刷装置を選択するだけで、自分の印刷を迅速に実行させることができる。従って、従来のような長時間の印刷待ちが不要となり、ユーザにとって利便性の高い印刷システムを提供することができる。
更に、本発明に係る構成３の印刷システムによれば、印刷データが、認証情報に基づいて暗号化されてからユーザ端末から印刷装置へ送信されるので、印刷データの守密性を向上することができる。
【発明を実施するための最良の形態】
【００２６】
以下、図を用いる実施形態で、本発明に係る印刷システムを詳細に説明する。
【実施例１】
【００２７】
〈実施例１の構成〉
図１は、本発明に係る印刷システムの実施例１における構成を示すブロック図である。
本発明に係る印刷システム１０は、図１に示されているように、複数のユーザ端末１１と、該複数のユーザ端末１１に通信回線１２を介して接続している複数の印刷装置１３と、該通信回線１２を介して複数のユーザ端末１１及び印刷装置１３と接続しており且つこれらを管理する情報管理装置１４と、複数のユーザ端末１１及び印刷装置１３と読み取り通信可能な複数の認証カード１５とを含む。
尚、通信回線１２として、インタネットやネットワークなどを採用することができる。
また、認証カード１５は、対応のユーザに携帯されるものである。
更に、ユーザ端末１１は、複数のユーザに利用されても良く、一人のユーザに専用されてもよい。
【００２８】
認証カード１５は、ユーザに対応し該ユーザを認証するための認証情報を記憶する認証情報記憶部を有している。
【００２９】
ユーザ端末１１は、入力表示部１６、印刷データ記憶部１７、端末側読出部１８、端末側通信部１９、一時記憶部２０及びこれら各部を制御するための端末側制御部２１を備えている。
【００３０】
入力表示部１６は、画面を表示してユーザに入力動作を行わせる機能を有している。この入力表示部１６を用いるユーザの操作によって、印刷すべき下記印刷データを生成することができ、また、印刷データを印刷する印刷コマンドを選択することができる。
【００３１】
印刷データ記憶部１７は、生成された印刷データを記憶する機能を有する。
端末側読出部１８は、認証カード１５から認証情報を読み出す機能を有する。端末側読出部１８には、認証カード１５を挿入させるための挿入口が設けられている。
本実施例では、認証情報として、数値型の認証番号を採用する。
【００３２】
端末側通信部１９は、ＬＡＮ（Ｌｏｃａｌ  Ａｒｅａ  Ｎｅｔｗｏｒｋ）等の通信回線１２を介して情報管理装置１４との間の送受信を行う機能を有し、端末側通信部１９には、端末を識別するための端末ＩＰアドレス（Ｉｎｔｅｒｎｅｔ  Ｐｒｏｔｏｃｏｌ  Ａｄｄｒｅｓｓ）として例えば（１９２．１６８．０．１）の番号が割り振られている。
そして、送信部として、印刷データを認証情報と共に情報管理装置１４に送信する機能を有する。
一時記憶部２０は、ユーザの入力データや、読み出された認証情報などを一時的に記憶する機能を有する。
【００３３】
端末側制御部２１は、ユーザ端末１１における上記した各機能を実現させるために全体の制御動作を行い、図示しない制御プログラムを有する。
【００３４】
また、印刷装置１３は、装置識別番号記憶部２４と、印刷側通信部２５、印刷側読出部２６、印刷側判定部２７、印刷部２９、一時記憶部３０及びこれら各部を制御する印刷側制御部３１を備えている。
【００３５】
装置識別番号記憶部２４は、各印刷装置を識別するために自己に与えられた装置識別番号を装置識別情報として記憶する機能を有する。
印刷側読出部２６は、認証カードから認証情報を読み出す機能を有する。印刷側読出部２６には、認証カード１５を挿入させるための挿入口が設けられている。
【００３６】
印刷側通信部２５は、通信回線１２を介して情報管理装置１４との間の送受信を行う機能を有し、印刷側通信部２５には、印刷装置を識別するためのＩＰアドレスとして例えば（１９２．１６８．０．２）の番号が割り振られている。
そして、送信部として、読み出された認証情報及び自己の装置識別番号などを情報管理装置１４へ送信し、且つ、受信部として、印刷データなどを情報管理装置１４から受信する機能を有する。
印刷側判定部２７は、読み出された認証情報に基づいて、受信された印刷データを判定する機能を有する。
【００３７】
印刷部２９は、判定された印刷データを記録媒体に印刷する機能を有する。
一時記憶部３０は、受信した印刷データなどを一時的に記憶する機能を有する。
印刷側制御部３１は、印刷装置１３における上記した各機能を実現させるために全体の制御動作を行い、図示しない制御プログラムを有する。
【００３８】
情報管理装置１４は、管理側通信部３２、一時記憶部３３、格納部３４、管理側判定部３５及びこれら各部を制御する管理側制御部３６を備えている。
管理側通信部３２は、通信回線１２を介してユーザ端末１１との間の送受信及び印刷装置１３との間の送受信を行う機能を有し、管理側通信部３２には、情報管理装置を識別するためのＩＰアドレスとして例えば（１９２．１６８．０．３）の番号が割り振られている。
一時記憶部３３は、ユーザ端末１１及び印刷装置１３との各通信によって生じたデータなどを一時的に記憶する機能を有する。
【００３９】
格納部３４は、管理側通信部３２によって通信回線１２を介して受信したユーザ端末１１からの認証情報及び印刷データなどを格納する機能を有する。
図２は、本発明に係る実施例１における格納部の構成を示す説明図である。
格納部３４は、図２に示されているように、認証情報を格納するための認証情報格納領域３７、及び対応の印刷データを格納するための印刷データ格納領域３８を有する。
そして、印刷を行う各ユーザの認証情報及び対応の各印刷データがこれらの格納領域に格納されている。例えば、認証情報は、「００００５」に対応して、「００００５−ｄａｔａ−１」の印刷データが格納されている。
【００４０】
管理側判定部３５は、印刷装置１３からの認証情報に基づいて格納部３４に格納されている印刷データを判定する機能を有する。
管理側制御部３６は、情報管理装置１４における上記した各機能を実現させるために全体の制御動作を行い、図示しない制御プログラムを有する。
【００４１】
〈実施例１の動作〉
次に、本発明に係る印刷システム１０の動作をフローチャートに沿って説明する。
図３は、本発明に係る印刷システムの実施例１における動作を示すフローチャートである。
本実施例において、ユーザの認証情報は、「００００５」とし、対応の印刷データは、「００００５−ｄａｔａ−１」とする。
【００４２】
ところで、本発明の印刷システム１０では、ユーザ端末１１、印刷装置１３、情報管理装置１４が初期設定される。
即ち、ユーザ端末の入力表示部１６からは情報管理装置と印刷装置との関連付けを設定項目として選択入力すべく、情報管理装置１４のＩＰアドレス（１９２．１６８．０．３）及び、印刷装置１３のＩＰアドレス（１９２．１６８．０．２）が入力される。
端末側制御部２１は、情報管理装置のＩＰアドレス（１９２．１６８．０．３）を情報管理装置の識別子として一時記憶部２０に記憶する。
【００４３】
端末側通信部１９は、印刷装置ＩＰアドレス（１９２．１６８．０．２）宛てに自己の端末ＩＰアドレス（１９２．１６８．０．１）と情報管理装置のＩＰアドレス（１９２．１６８．０．３）、及び情報管理装置と印刷装置の関連付け設定コマンドを関連つけて通信回線１２に送信する。
【００４４】
印刷装置１３側の印刷側通信部２５は、自己のＩＰアドレス（１９２．１６８．０．２）宛ての通信を選択して受信することで端末ＩＰアドレス（１９２．１６８．０．１）と情報管理装置ＩＰアドレス（１９２．１６８．０．３）、及び情報管理装置と印刷装置との関連付け設定コマンドを受信して一時記憶部３０に記憶する。
また、端末側通信部１９は通信回線１２に情報管理装置のＩＰアドレス（１９２．１６８．０．３）宛てに端末ＩＰアドレス（１９２．１６８．０．１）と印刷装置ＩＰアドレス（１９２．１６８．０．２）、及び情報管理装置と印刷装置とを関連付ける設定コマンドを関連つけて送信する。
【００４５】
情報管理装置１４側の管理側通信部３２は、自己のＩＰアドレス（１９２．１６８．０．３）宛ての通信を選択して受信することで端末ＩＰアドレス（１９２．１６８．０．１）と印刷装置ＩＰアドレス（１９２．１６８．０．２）、及び情報管理装置と印刷装置との関連付け設定コマンドを一時記憶部３３に記憶する。
【００４６】
管理側制御部３６は、情報管理装置と印刷装置との関連付け設定コマンドを受信すると端末ＩＰアドレス（１９２．１６８．０．１）と印刷装置ＩＰアドレス（１９２．１６８．０．２）を格納部３４に記憶し、管理側通信部３２は通信回線１２に情報管理装置と印刷装置との関連付け設定コマンドに関連つけられた印刷装置ＩＰアドレス（１９２．１６８．０．２）宛てに情報管理装置のＩＰアドレス（１９２．１６８．０．３）と情報管理装置と印刷装置との関連付け設定コマンドを関連付けて送信する。
【００４７】
印刷装置１３側の印刷側通信部２５は、自己のＩＰアドレス（１９２．１６８．０．２）宛ての通信を選択して受信することで情報管理装置のＩＰアドレス（１９２．１６８．０．３）と情報管理装置と印刷装置との関連付け設定コマンドを一時記憶部３０に記憶する。
【００４８】
印刷側制御部３１は、情報管理装置と印刷装置との関連付け設定コマンドを受信すると印刷側通信部２５から通信回線１２に、情報管理装置のＩＰアドレス（１９２．１６８．０．３）宛てに印刷装置ＩＰアドレス（１９２．１６８．０．２）と装置識別番号記憶部２４の装置識別番号を関連付けて送信させる。
【００４９】
情報管理装置１４において、管理側通信部３２は、情報管理装置のＩＰアドレス（１９２．１６８．０．３）宛ての通信を選択して受信することで印刷装置ＩＰアドレス（１９２．１６８．０．２）と装置識別番号記憶部２４に記憶されていた装置識別番号を印刷装置の識別番号として格納部３４に記憶する。
【００５０】
以後、印刷データ送信などユーザ端末が情報管理装置にデータを送信するときは、端末側通信部１９から一時記憶部２０内に記憶した情報管理装置のＩＰアドレス（１９２．１６８．０．３）を付与した印刷データを送信する。
また、印刷装置１３が情報管理装置の印刷データを取得するときは、印刷側通信部２５から一時記憶部３０内に記憶した情報管理装置のＩＰアドレス（１９２．１６８．０．３）を付与した処理コマンドのデータを送信する。
また、印刷データを情報管理装置が印刷装置に送信するときは、格納部３４に格納された印刷装置のＩＰアドレス（１９２．１６８．０．２）を付与したデータを送信することで通信相手を特定した通信を行う。
【００５１】
まず、ユーザ端末１１において、端末側制御部２１は、全体を制御する制御動作を行い、入力表示部１６に印刷を行うか否かの印刷問い合わせ画面を表示させる（ステップＳ１０１）。この入力表示部１６は、該画面を表示してユーザに入力させる（ステップＳ１０１）。
【００５２】
ユーザが印刷コマンドを選択すると、端末側制御部２１は、印刷データ記憶部１７から印刷データ「００００５−ｄａｔａ―１」を読み出して一時記憶部２０に一時的に記憶させる（ステップＳ１０２）。
【００５３】
また、端末側制御部２１は、入力表示部１６に認証カード挿入案内画面を表示させ、ユーザに認証カード１５を端末側読出部１８の挿入口に挿入させる（ステップＳ１０３）。
認証カード１５が挿入されると、端末側読出部１８は、図示しないセンサで認証カード１５が読出し可能な所定の場所にあることを検知すると、認証カード１５の認証情報記憶部から認証情報「００００５」を読み出す（ステップＳ１０４）。この読み出された認証情報は、端末側制御部２１によって、一時記憶部２０に印刷データに対応して記憶される（ステップＳ１０４）。
【００５４】
そして、端末側通信部１９は、印刷データと認証情報とを情報管理装置１４に送信する（ステップＳ１０５）。
【００５５】
次に、情報管理装置１４において、管理側制御部３６は、管理側通信部３２に、ユーザ端末１１から印刷データ及び認証情報を受信し（ステップＳ１０６）、格納部３４に受信した印刷データ「００００５−ｄａｔａ―１」及び認証情報「００００５」を格納させる（ステップＳ１０７）。
【００５６】
また、印刷装置１３において、ユーザが空いている印刷装置１３に行って、自分の認証カード１５を用いて印刷側読出部２６の挿入口に該認証カード１５を挿入すると、印刷側読出部２６は、図示しないセンサで認証カード１５が読出し可能な所定の場所にあることを検知すると、認証カード１５から認証情報「００００５」を読み出す（ステップＳ１０８）。
【００５７】
そして、印刷側制御部３１は、装置識別番号記憶部２４から装置識別番号、例えば、「ＩＤ００９」を読み出して（ステップＳ１０９）、印刷側通信部２５に、該装置識別番号「ＩＤ００９」及び印刷側読出部２６によって読み出された認証情報「００００５」を情報管理装置１４へ送信させる（ステップ１０）。
【００５８】
続いて、情報管理装置１４において、管理側制御部３６は、管理側通信部３２に、印刷装置１３から装置識別番号及び認証情報を受信させ、一時記憶部３３に記憶させる（ステップＳ１１１）。
この装置識別番号及び認証情報が受信されて記憶されると、管理側判定部３５は、格納部３４を検索して、この受信された認証情報と一致する認証情報を判定して該認証情報に対応する印刷データを判定する（ステップＳ１１２）。これによって、印刷データ「００００５−ｄａｔａ―１」が判定される（ステップＳ１１２）。
【００５９】
印刷データが判定されると、管理側通信部３２は、受信した装置識別番号に基づいて、判定された印刷データ及び対応の認証情報を印刷装置１３へ送信する（ステップＳ１１３）。
尚、本実施例において、印刷データが情報管理装置１４から印刷装置１３へ送信されると、管理側制御部３６は、格納部３４からこの印刷データを削除する。
【００６０】
そして、印刷装置１３において、印刷側制御部３１は、印刷側通信部２５に、情報管理装置１４から認証情報及び印刷データを受信させ、一時記憶部３０に記憶させる（ステップＳ１１４）。
【００６１】
続いて、印刷側判定部２７は、一時記憶部３０を検索して、印刷側読出部２６によって読み出された認証情報と一致する認証情報を判定して該認証情報に対応する印刷データを判定する（ステップＳ１１５）。
【００６２】
印刷データが判定されると、印刷部２９は、印刷データを印刷用紙のような記録媒体に印刷して、印刷された用紙を印刷済み記録媒体として排出する（ステップＳ１１６）。印刷済み記録媒体の排出に伴って、ユーザがその場でこの印刷済み記録媒体を取得する。
そして、印刷側制御部３１は、この処理を終了する。
【００６３】
尚、上記実施例では情報管理装置に１つの印刷装置のＩＰアドレス及び装置識別番号を登録する例となっているが、ＩＰアドレス及び装置識別番号の異なる複数の印刷装置を扱ってもよい。
また、上記実施例では１つの情報管理装置を扱う例としているが、ＩＰアドレスの異なる複数の情報管理装置をそれそれ別々に設定し、プリンタ側に複数の情報処理装置のＩＰアドレスを登録し、この場合、印刷装置１３から各情報管理装置の印刷データを取得するために、印刷側通信部２５から一時記憶部３０内に記憶した各情報管理装置のＩＰアドレス毎に対応するＩＰアドレスを付与した処理コマンドのデータを送信してもよい。
また、印刷装置が別体で、複数有る端末装置の１つと管理装置の１つを一体に構成してもよい。
又は、端末装置が別体で、複数有る印刷装置の１つと管理装置の１つが一体に構成してもよい。
【００６４】
〈実施例１の効果〉
本発明に係る実施例１によれば、印刷装置は、ユーザが携帯する認証カードに対してユーザの認証を行った後印刷を行うので、印刷済み記録媒体が他人に取られるのを防止することができる。
また、情報管理装置が、各ユーザ端末からの印刷データを一括で管理し、いずれかの印刷装置からの装置識別番号を受け取った後に、対応の印刷データを該印刷装置に送信するので、ユーザが空いている印刷装置を選択するだけで、自分の印刷を迅速に実行させることができる。従って、従来のような長時間の印刷待ちが不要となり、ユーザにとって利便性の高い印刷システムを提供することができる。
【実施例２】
【００６５】
次に、実施例２について説明する。
尚、実施例１におけると同様な構成について、同一の符号を与え、同様な説明を省略する。
〈実施例２の構成〉
図４は、本発明に係る印刷システムの実施例２における構成を示すブロック図である。
本発明に係る印刷システム４０は、図４に示されているように、複数のユーザ端末４１と、該複数のユーザ端末４１に通信回線１２を介して接続している複数の印刷装置４２と、該通信回線１２を介して複数のユーザ端末４１及び印刷装置４２と接続しており且つこれらを管理する情報管理装置４３と、複数のユーザ端末４１及び印刷装置４２と読み取り通信可能な複数の認証カード１５とを含む。
【００６６】
ユーザ端末４１は、端末番号記憶部５７、入力表示部４４、印刷データ記憶部１７、端末側読出部１８、端末側通信部４５、一時記憶部２０及びこれら各部を制御するための端末側制御部４６を備えている。
【００６７】
端末番号記憶部５７は、各ユーザ端末を識別するために自己の端末識別子、例えば、識別番号を記憶する機能を有する。
【００６８】
入力表示部４４は、画面を表示してユーザに入力動作を行わせる機能を有している。この入力表示部４４を用いるユーザの操作によって、印刷すべき下記印刷データを生成することができ、また、印刷データを印刷する印刷コマンドを選択することができる。
また、入力表示部４４は、情報管理装置４３に送信した印刷データの状態を確認するためにユーザに確認コマンドを入力させ、また、情報管理装置４３からの印刷データに対応する状態データを表示してユーザに選択させ且つ削除コマンドを入力させる機能を有する。
【００６９】
端末側通信部４５は、ＬＡＮ等の通信回線１２を介して情報管理装置４３との間の送受信を行う機能を有し、そして、送信部として、印刷データ、認証情報、確認コマンド、削除コマンド、自己の端末識別子などを情報管理装置４３に送信し、また、受信部として、情報管理装置４３から印刷データに対応する状態データを受信する機能を有する。
【００７０】
端末側制御部４６は、ユーザ端末４１における上記した各機能を実現させるために全体の制御動作を行い、図示しない制御プログラムを有する。
【００７１】
また、印刷装置４２は、装置識別番号記憶部２４と、印刷側通信部４９、印刷側読出部２６、印刷側判定部２７、印刷部２９、一時記憶部３０、印刷側入力表示部４７、印刷側判断制御部４８及びこれら各部を制御する印刷側制御部５０を備えている。
【００７２】
印刷側通信部４９は、通信回線１２を介して情報管理装置４３との間の送受信を行う機能を有し、印刷側通信部４９には、印刷装置を識別するためのＩＰアドレスとして例えば（１９２．１６８．０．２）の番号が割り振られている。そして、送信部として、印刷側読出部２６によって読み出された認証情報及び自己の装置識別番号などを情報管理装置４３へ送信し、且つ、受信部として、印刷データなどを情報管理装置４３から受信する機能を有する。
【００７３】
印刷側入力表示部４７は、印刷側判定部２７によって判定された印刷データを削除するか印刷するかをユーザに問い合わせるための削除／印刷問い合わせ画面を表示してユーザに操作させる機能を有する。
【００７４】
印刷側判断制御部４８は、印刷側入力表示部４７から削除を示す削除信号が出力されると、印刷部２９を起動せずに印刷データを削除し、印刷側入力表示部４７から印刷を示す印刷信号が出力されると、印刷部２９を起動する機能を有する。
印刷側制御部５０は、印刷装置４２における上記した各機能を実現させるために全体の制御動作を行い、図示しない制御プログラムを有する。
【００７５】
更に、情報管理装置４３は、管理側通信部５３、一時記憶部３３、格納部５４、管理側判定部５８、状態データ生成部５１、管理側削除部５２及びこれら各部を制御する管理側制御部５５を備えている。
【００７６】
状態データ生成部５１は、印刷データの状態、例えば、印刷データの受付時間や題名などを示す状態データを生成する機能を有する。
格納部５４は、管理側通信部５３によって受信したユーザ端末４１からの認証情報及び印刷データなどを格納し、更に、生成された状態データを格納する機能を有する。
【００７７】
図５は、本発明に係る実施例２における格納部の構成を示す説明図である。
格納部５４は、図５に示されているように、認証情報を格納するための認証情報格納領域３７及び対応の印刷データを格納するための印刷データ格納領域３８のほか、更に、状態データを格納するための状態データ格納領域５６を有する。
そして、該状態データ格納領域５６には、例えば、認証情報「００００２」及び印刷データ「００００２−ｄａｔａ−１」に対応して、受付時間「２００７／０１／１６  １２：０４：３６」及び題名「（無題）」が格納されている。
【００７８】
管理側通信部５３は、通信回線１２を介してユーザ端末４１との間の送受信及び印刷装置４２との間の送受信を行い、例えば、ユーザ端末４１から認証情報と共に確認コマンドや削除コマンドなどを受信し、下記の管理側判定部５８によって判定された状態データをユーザ端末４１に送信する機能を有し、管理側通信部５３には、情報管理装置を識別するためのＩＰアドレスとして例えば（１９２．１６８．０．３）の番号が割り振られている。
【００７９】
管理側判定部５８は、印刷装置４２からの認証情報に基づいて格納部３４に格納されている印刷データを判定する機能を有し、また、管理側通信部５３によってユーザ端末４１からの確認コマンドが受信されると、認証情報に基づいて格納部５４に格納されている状態データを判定する機能を有する。
【００８０】
管理側制御部５５は、情報管理装置４３における上記した各機能を実現させるために全体の制御動作を行い、図示しない制御プログラムを有する。
【００８１】
〈実施例２の動作〉
次に、本発明に係る印刷システム４０の動作をフローチャートに沿って説明する。
図６は、本発明に係る印刷システムの実施例２における動作を示すフローチャートであり（その１）、図７は、本発明に係る印刷システムの実施例２における動作を示すフローチャートである（その２）。
本実施例において、ユーザの認証情報は、「００００２」とし、対応の印刷データ「００００２−ｄａｔａ−１」は、既に情報管理装置４３へ送信され、格納部５４に格納されていることとし、そして、対応の印刷データ「００００２−ｄａｔａ−２」は、印刷データ記憶部１７に記憶されており、これから送信されることとする。
【００８２】
ところで、本発明の印刷システム４０では、ユーザ端末４１、印刷装置４２、情報管理装置４３が初期設定される。
即ち、ユーザ端末の入力表示部４４からは情報管理装置と印刷装置との関連付け設定項目を選択入力すべく、情報管理装置ＩＰアドレス（１９２．１６８．０．３）及び、印刷装置１３のＩＰアドレス（１９２．１６８．０．２）が入力される。
【００８３】
端末側制御部４６は、情報管理装置ＩＰアドレス（１９２．１６８．０．３）を情報管理装置の識別子として一時記憶部２０に記憶する。
【００８４】
情報管理装置４３において、管理側通信部５３は、情報管理装置のＩＰアドレス（１９２．１６８．０．３）宛ての通信を選択して受信することで端末ＩＰアドレス（１９２．１６８．０．１）と印刷装置ＩＰアドレス（１９２．１６８．０．２）、及び情報管理装置と印刷装置との関連付け設定コマンドを一時記憶部３３に記憶する。
【００８５】
管理側制御部５５は、情報管理装置と印刷装置との関連付け設定コマンドを受信すると端末ＩＰアドレス（１９２．１６８．０．１）と印刷装置ＩＰアドレス（１９２．１６８．０．２）を格納部５４に記憶し、管理側通信部５３は通信回線１２に情報管理装置と印刷装置との関連付け設定コマンドに関連つけられた印刷装置ＩＰアドレス（１９２．１６８．０．２）宛てに情報管理装置のＩＰアドレス（１９２．１６８．０．３）と情報管理装置と印刷装置との関連付け設定コマンドを関連付けて送信する。
【００８６】
印刷装置４２において、印刷側通信部４９は、自己のＩＰアドレス（１９２．１６８．０．２）宛ての通信を選択して受信することで情報管理装置のＩＰアドレス（１９２．１６８．０．３）と情報管理装置と印刷装置との関連付け設定コマンドを一時記憶部３０に記憶する。
【００８７】
印刷側制御部５０は、情報管理装置と印刷装置との関連付け設定コマンドを受信すると印刷側通信部４９から通信回線１２に、情報管理装置のＩＰアドレス（１９２．１６８．０．３）宛てに印刷装置ＩＰアドレス（１９２．１６８．０．２）と装置識別番号記憶部２４の装置識別番号を関連付けて送信させる。
【００８８】
情報管理装置４３において、管理側通信部５３は、自己のＩＰアドレス（１９２．１６８．０．３）宛ての通信を選択して受信することで印刷装置ＩＰアドレス（１９２．１６８．０．２）と装置識別番号記憶部２４に記憶されていた装置識別番号を印刷装置の識別番号として格納部５４に記憶する。
【００８９】
以後、印刷データ送信などユーザ端末４１から情報管理装置にデータを送信するときは、端末側通信部４５から一時記憶部２０内に記憶した情報管理装置のＩＰアドレス（１９２．１６８．０．３）を付与した印刷データを送信する。
また、印刷装置４２から情報管理装置の印刷データを取得するときは、印刷側通信部４９から一時記憶部３０内に記憶した情報管理装置のＩＰアドレス（１９２．１６８．０．３）を付与した処理コマンドのデータを送信し、
また、印刷データを情報管理装置４３から印刷装置４２に送信するときは、格納部５４に格納された印刷装置のＩＰアドレス（１９２．１６８．０．２）を付与したデータを送信することで通信相手を特定した通信を行う。
【００９０】
まず、ユーザ端末４１において、端末側制御部４６は、全体を制御する制御動作を行い、入力表示部４４に印刷を行うか否かの印刷問い合わせ画面を表示させる（ステップＳ２０１）。この入力表示部４４は、該画面を表示してユーザに入力させる（ステップＳ２０１）。
【００９１】
ユーザが印刷コマンドを選択すると、端末側制御部４６は、印刷データ記憶部１７から印刷データ「００００２−ｄａｔａ―２」を読み出して一時記憶部２０に一時的に記憶させる（ステップＳ２０２）。
【００９２】
また、端末側制御部４６は、入力表示部４４に認証カード挿入案内画面を表示させ、ユーザに認証カード１５を端末側読出部１８の挿入口に挿入させる（ステップＳ２０３）。
認証カード１５が挿入されると、端末側読出部１８は、図示しないセンサで認証カード１５が読出し可能な所定の場所にあることを検知すると、認証カード１５の認証情報記憶部から認証情報「００００２」を読み出す（ステップＳ２０４）。この読み出された認証情報は、端末側制御部４６によって、一時記憶部２０に印刷データに対応して記憶される（ステップＳ２０４）。
【００９３】
そして、端末側通信部４５は、印刷データ「００００２−ｄａｔａ―２」と認証情報「００００２」とを情報管理装置４３に送信する（ステップＳ２０５）。
【００９４】
次に、情報管理装置４３において、管理側制御部５５は、管理側通信部５３に、ユーザ端末４１から印刷データ及び認証情報を受信し（ステップＳ２０６）、格納部５４に受信した印刷データ「００００５−ｄａｔａ―１」及び認証情報「００００５」を格納させる（ステップＳ２０７）。
【００９５】
また、管理側制御部５５は、状態データ生成部５１に、受信された印刷データの状態、例えば、受付時間や、題名などを示す状態データを生成させ（ステップＳ２０８）、生成された状態データを、格納部５４に、認証情報及び印刷データに対応させて格納させる（ステップＳ２０８）。
そして、図５に示されているように、認証情報「００００２」、印刷データ「００００２−ｄａｔａ―２」、受付時間「２００７／０２／０５  １４：４１：０３」及び題名「あいさつ」などの状態データがそれぞれの格納領域３７、３８及び５８に格納される。
【００９６】
また、ユーザ端末４１において、端末側制御部４６は、情報管理装置４３に格納されている該ユーザの印刷データの状態をユーザに確認させるために、入力表示部４４に確認問い合わせ画面を表示させる（ステップＳ２０９）。
【００９７】
図８は、確認問い合わせ画面を示す説明図である。
この確認問い合わせ画面５９には、図８に示されているように、ボタン「確認」及びボタン「キャンセル」が設けられている。
ボタン「確認」がユーザに選択されると、入力表示部４４から確認コマンドが出力され（ステップＳ２１０）、処理はステップＳ２１１に進む。
また、ボタン「キャンセル」がユーザに選択されると、入力表示部４４からキャンセルコマンドが出力され（ステップＳ２１０）、処理はステップＳ２２１へ進む。
【００９８】
そして、ステップＳ２１１において、端末側制御部４６は、端末番号記憶部５７から自己の端末識別子を読み出して、端末側通信部４５に、この端末識別子を確認コマンド及び認証情報と共に情報管理装置４３へ送信する（ステップＳ２１１）。
【００９９】
情報管理装置４３において、管理側制御部５５は、管理側通信部５３に、端末識別子、対応の確認コマンド及び認証情報を受信させ（ステップＳ２１２）、且つ、受信した確認コマンドに基づいて、管理側判定部５８に状態データを判定させる（ステップＳ２１３）。そして、管理側判定部５８は、受信した認証情報に基づいて、格納部５４に格納されている状態データを判定する（ステップＳ２１３）。
【０１００】
続いて、管理側通信部５３は、端末識別子に基づいて、判定された状態データ及び対応の認証情報をユーザ端末４１へ送信する（ステップＳ２１４）。
【０１０１】
ユーザ端末４１において、端末側制御部４６は、端末側通信部４５に、この状態データ及び認証情報を受信させ（ステップＳ２１５）、また、情報管理装置４３から印刷データを削除するか否かをユーザに問い合わせるための削除問い合わせ画面を入力表示部４４に表示させる（ステップＳ２１６）。
【０１０２】
図９は、削除問い合わせ画面を示す説明図である。
削除問い合わせ画面６０には、ユーザの認証情報「００００２」に対応して、印刷データ「００００２−ｄａｔａ―１」の各状態を示す各状態データ、即ち、受付時間「２００７／０１／１６  １２：０４：３６」及び題名「（無題）」などが表示され、また、印刷データ「００００２−ｄａｔａ―２」の各状態を示す各状態データ、即ち、受付時間「２００７／０２／０５  １４：４１：０３」及び題名「あいさつ」などが表示されている。
また、この削除問い合わせ画面６０には、図９に示されているように、ボタン「削除」及びボタン「キャンセル」が設けられている。
【０１０３】
入力表示部４４は、この削除問い合わせ画面６０を表示することによって、ユーザに状態データを選択させ、また、いずれかのボタンを選択させることができる。
ボタン「削除」がユーザに選択されると、入力表示部４４から削除コマンドが出力され（ステップＳ２１７）、処理はステップＳ２１８に進む。
また、ボタン「キャンセル」がユーザに選択されると、入力表示部４４からキャンセルコマンドが出力され（ステップＳ２１７）、処理はステップＳ２２１へ進む。
【０１０４】
本実施例において、ユーザは、印刷データ「００００２−ｄａｔａ―１」に対応する各状態データ、即ち、受付時間「２００７／０１／１６  １２：０４：３６」及び題名「（無題）」などを選択し、また、ボタン「削除」を選択することとする。
【０１０５】
そして、ステップＳ２１８において、端末側制御部４６は、端末側通信部４５に、選択された状態データ及び削除コマンドを認証情報と共に情報管理装置４３へ送信する（ステップＳ２１８）。
尚、印刷データに対応して複数の状態データが存在している場合、端末側通信部４５は、この中の一つ状態データ、例えば、題名を示す状態データのみを送信してもよい。
【０１０６】
情報管理装置４３において、管理側制御部５５は、管理側通信部５３に、状態データ、削除コマンド及び認証情報を受信させ（ステップＳ２１９）、且つ、受信した削除コマンドに基づいて、管理側削除部５２に削除動作を行わせる（ステップＳ２２０）。そして、管理側削除部５２は、受信した状態データ及び認証情報に基づいて、格納部５４に格納されている印刷データ及び状態データを削除する（ステップＳ２２０）。
これによって、格納部５４に格納されており且つ番号が１である記録が削除される（ステップＳ２２０）。
【０１０７】
また、印刷装置４２において、ユーザが空いている印刷装置４２に行って、自分の認証カード１５を用いて印刷側読出部２６の挿入口に該認証カード１５を挿入すると、印刷側読出部２６は、図示しないセンサで認証カード１５が読出し可能な所定の場所にあることを検知すると、認証カード１５から認証情報「００００２」を読み出す（ステップＳ２２１）。
【０１０８】
そして、印刷側制御部５０は、装置識別番号記憶部２４から装置識別番号、例えば、「ＩＤ００９」を読み出して（ステップＳ２２２）、印刷側通信部４９に、該装置識別番号「ＩＤ００９」及び印刷側読出部２６によって読み出された認証情報「００００２」を情報管理装置４３へ送信させる（ステップＳ２２３）。
【０１０９】
続いて、情報管理装置４３において、管理側制御部５５は、管理側通信部５３に、印刷装置４２から装置識別番号及び認証情報を受信させ、一時記憶部３３に記憶させる（ステップＳ２２４）。
この装置識別番号及び認証情報が受信されて記憶されると、管理側判定部５８は、格納部５４を検索して、この受信された認証情報と一致する認証情報を判定して該認証情報に対応する印刷データを判定する（ステップＳ２２５）。これによって、印刷データ「００００２−ｄａｔａ―２」が判定される（ステップＳ２２５）。
【０１１０】
印刷データが判定されると、管理側通信部５３は、受信した装置識別番号に基づいて、判定された印刷データ及び対応の認証情報を印刷装置４２へ送信する（ステップＳ２２６）。
尚、本実施例において、印刷データが印刷装置へ送信された後、管理側制御部５５は、この印刷データ及び対応の状態データを格納部５４から削除する。即ち、対応の記録が格納部５４から削除される。
【０１１１】
そして、印刷装置４２において、印刷側制御部５０は、印刷側通信部４９に、情報管理装置４３から認証情報及び印刷データを受信させ、一時記憶部３０に記憶させる（ステップＳ２２７）。
【０１１２】
続いて、印刷側判定部２７は、一時記憶部３０を検索して、印刷側読出部２６によって読み出された認証情報と一致する認証情報を判定して該認証情報に対応する印刷データを判定する（ステップＳ２２８）。
【０１１３】
印刷データが判定されると、印刷側入力表示部４７は、削除／印刷問い合わせ画面を表示してユーザに操作させる（ステップＳ２２９）。
【０１１４】
図１０は、削除／印刷問い合わせ画面を示す説明図である。
削除／印刷問い合わせ画面には、図１０に示されているように、「印刷実行／データ削除」の問い合わせ内容が表示され、また、ユーザに選択させるための「＋」ボタン、「―」ボタン及び「Ｅｎｔｅｒ」ボタンなどが設けられている。
これらボタンを押すことによって、印刷側入力表示部４７から対応の信号が出力される。
【０１１５】
ユーザが「データ削除」を選択して「Ｅｎｔｅｒ」ボタンを押す（ステップＳ２３０）と、印刷側判断制御部４８は、印刷部２９を起動せずに印刷データを削除する（ステップＳ２３１）。
そして、印刷側制御部５０は、この処理を終了する。
【０１１６】
尚、上記実施例では情報管理装置に１つの印刷装置のＩＰアドレス及び装置識別番号を登録する例となっているが、ＩＰアドレス及び装置識別番号の異なる複数の印刷装置を扱ってもよい。
また、上記実施例では１つの情報管理装置を扱う例としているが、ＩＰアドレスの異なる複数の情報管理装置をそれそれ別々に設定し、プリンタ側に複数の情報処理装置のＩＰアドレスを登録し、この場合、印刷装置１３から各情報管理装置の印刷データを取得するために、印刷側通信部２５から一時記憶部３０内に記憶した各情報管理装置のＩＰアドレス毎に対応するＩＰアドレスを付与した処理コマンドのデータを送信してもよい。
また、印刷装置が別体で、複数有る端末装置の１つと管理装置の１つを一体に構成してもよい。
又は、端末装置が別体で、複数有る印刷装置の１つと管理装置の１つが一体に構成してもよい。
【０１１７】
また、  ユーザが「印刷実行」を選択して「Ｅｎｔｅｒ」ボタンを押す（ステップＳ２３０）と、印刷側判断制御部４８は、印刷部２９を起動する（ステップＳ２３２）。
起動された印刷部２９は、判定された印刷データを印刷用紙のような記録媒体に印刷して、印刷された用紙を印刷済み記録媒体として排出する（ステップＳ２３２）。印刷済み記録媒体の排出に伴って、ユーザがその場でこの印刷済み記録媒体を取得する。
そして、印刷側制御部５０は、この処理を終了する。
【０１１８】
〈実施例２の効果〉
本発明に係る実施例２によれば、印刷済み記録媒体が他人に取られるのを防止することができる。また、長時間の印刷待ちが不要となり、利便性の高い印刷システムを提供することができる。
更に、送信された印刷データを確認する及び削除するための各設定に関する機能をユーザ端末に設け、印刷データの状態データの生成機能及び印刷データの削除機能を情報管理装置に設けるので、印刷データの送信後、印刷データがユーザ端末から情報管理装置へ送信されても、不要な印刷を中止することができる。また、印刷装置において印刷データに対して削除／印刷の選択機能を設けたので、印刷データが情報管理装置から印刷装置へ送信されても、不要な印刷を再度中止することができる。これによって、トナーなどの節約を図ることができる。
【０１１９】
尚、本実施例１及び２の印刷システムにおいて、ユーザ端末は、更に、認証情報に基づいて暗号鍵を生成する暗号鍵生成部分と、生成された暗号鍵に基づいて印刷データを暗号化する暗号化部分とを有する暗号化実行部を備え、印刷装置は、更に、認証情報に基づいて復号鍵を生成する復号鍵生成部分と、生成された復号鍵に基づいて印刷データを復号化する復号化部分とを有する復号化実行部を備えることができる。そして、端末側送信部によって送信された印刷データは、暗号化実行部によって暗号化された印刷データとなる。
【０１２０】
また、ユーザ端末は、ランダム数を発生するランダム数発生器を更に備えることができる。そして、ランダム数が、情報管理装置を介して、ユーザ端末から印刷装置へ送信され、暗号鍵生成部分は、認証情報及び発生されたランダム数に基づいて暗号鍵を生成し、復号鍵生成部分は、受信したランダム数及び読み出された認証情報に基づいて復号鍵を生成する。
【０１２１】
また、送信部が送信すべき認証情報を暗号化部分によって暗号化された後に情報管理装置に送信することができる。そして、印刷装置の復号化部分は、更に、暗号化された認証情報を復号化する。
【０１２２】
また、認証情報として、数値型の認証番号及び文字型の認証名前のいずれかを採用することができる。
【０１２３】
また、装置識別番号として、ＩＰアドレスを採用することができる。
【０１２４】
また、複数のユーザ端末及び複数の印刷装置は、それぞれ、二つ以上のグループに分割され、情報管理装置は複数に設定され、該複数の情報管理装置は、それぞれ、各クループに対応して動作を行うことができる。
【０１２５】
また、ユーザ端末は、更に、ランダム数を発生するランダム数発生器と、認証カードから認証情報を読み出し、且つ、ランダム数発生器が発生したランダム数を認証カードに書き込む読書部と、認証情報及びランダム数の中少なくともランダム数に基づいて暗号鍵を生成する暗号鍵生成部分、及び生成された暗号鍵に基づいて印刷データを暗号化する暗号化部分を有する暗号化実行部とを備え、印刷装置は、更に、認証情報及びランダム数の中少なくともランダム数に基づいて復号鍵を生成する復号鍵生成部分と、生成された復号鍵に基づいて印刷データを復号化する復号化部分とを有する復号化実行部を備えることができる。そして、端末側送信部によって送信された印刷データは、暗号化実行部によって暗号化された印刷データになり、印刷側読出部は、認証情報と共に更にランダム数を読み出す。
【０１２６】
また、情報管理装置１４を情報管理ユニットとして、複数のユーザ端末のいずれかに設けることができ、あるいは、複数の印刷装置のいずれかに設けることができる。
【実施例３】
【０１２７】
次に、実施例３について説明する。
尚、実施例１及び２におけると同様な構成について、同一の符号を与え、同様な説明を省略する。
〈実施例３の構成〉
図１１は、本発明に係る印刷システムの実施例３における構成を示すブロック図である。
本発明に係る印刷システム７０は、図１１に示されているように、複数のユーザ端末７１と、該複数のユーザ端末７１に通信回線１２を介して接続している複数の印刷装置７２と、該通信回線１２を介して複数のユーザ端末７１及び印刷装置７２と接続しており且つこれらを管理する情報管理装置７３と、複数のユーザ端末７１及び印刷装置７２と読み取り通信可能な複数の認証カード１５とを含む。
【０１２８】
ユーザ端末７１は、入力表示部１６、印刷データ記憶部１７、端末側読出部１８、端末側通信部７６、一時記憶部２０、暗号化実行部７４、端末側結果取得部７５及びこれら各部を制御するための端末側制御部７７を備えている。
【０１２９】
暗号化実行部７４は、読み出された認証情報に基づいて暗号鍵を生成するための暗号鍵生成部分７８、及び生成された暗号鍵に基づいて印刷データを暗号化するための暗号化部分７９を有する。
【０１３０】
端末側結果取得部７５は、所定の演算式を予め記憶しており、該所定の演算式を用いて、読み出された認証情報に対して所定演算を行って演算結果を取得する機能を有する。
【０１３１】
端末側通信部７６は、ＬＡＮ等の通信回線１２を介して情報管理装置７３との間の送受信を行う機能を有し、そして、送信部として、暗号化された印刷データを取得された演算結果と共に情報管理装置７３に送信する機能を有する。
端末側制御部７７は、ユーザ端末７１における上記した各機能を実現させるために全体の制御動作を行い、図示しない制御プログラムを有する。
【０１３２】
また、印刷装置７２は、装置識別番号記憶部２４、印刷側通信部８０、印刷側読出部２６、印刷側判定部８２、印刷部２９、一時記憶部３０、復号化実行部８３、印刷側結果取得部８１及びこれら各部を制御する印刷側制御部８４を備えている。
【０１３３】
印刷側結果取得部８１は、上記した端末側結果取得部７５における所定の演算式と同様な所定の演算式を予め記憶しており、該所定の演算式を用いて、印刷側読出部２６によって読み出された認証情報に対して所定演算を行って演算結果を取得する機能を有する。  
【０１３４】
復号化実行部８３は、認証情報に基づいて復号鍵を生成する復号鍵生成部分８５と、生成された復号鍵に基づいて印刷データを復号化する復号化部分８６とを有する。
【０１３５】
印刷側通信部８０は、通信回線１２を介して情報管理装置７３との間の送受信を行う機能を有し、印刷側通信部８０には、印刷装置を識別するためのＩＰアドレスとして例えば（１９２．１６８．０．２）の番号が割り振られている。そして、送信部として、取得された演算結果及び自己の装置識別番号などを情報管理装置７３へ送信し、且つ、受信部として、印刷データなどを情報管理装置７３から受信する機能を有する。
印刷側判定部８２は、取得された演算結果に基づいて、受信された印刷データを判定する機能を有する。
【０１３６】
印刷側制御部８４は、印刷装置７２における上記した各機能を実現させるために全体の制御動作を行い、図示しない制御プログラムを有する。
【０１３７】
情報管理装置７３は、管理側通信部８７、一時記憶部３３、格納部９０、管理側判定部８８及びこれら各部を制御する管理側制御部８９を備えている。
管理側通信部８７は、通信回線１２を介してユーザ端末７１との間の送受信及び印刷装置７２との間の送受信を行う機能を有し、管理側通信部５３には、情報管理装置を識別するためのＩＰアドレスとして例えば（１９２．１６８．０．３）の番号が割り振られている。
一時記憶部３３は、ユーザ端末７１及び印刷装置７２との各通信によって生じたデータなどを一時的に記憶する機能を有する。
【０１３８】
格納部９０は、管理側通信部８７によって受信したユーザ端末７１からの演算結果及び印刷データなどを格納する機能を有する。
【０１３９】
管理側判定部８８は、印刷装置７２からの演算結果に基づいて格納部９０に格納されている印刷データを判定する機能を有する。
管理側制御部８９は、情報管理装置７３における上記した各機能を実現させるために全体の制御動作を行い、図示しない制御プログラムを有する。
【０１４０】
ところで、本発明の印刷システム７０では、ユーザ端末７１、印刷装置７２、情報管理装置７３が初期設定される。
即ち、ユーザ端末の入力表示部１６からは情報管理装置と印刷装置との関連付け設定項目を選択入力すべく、情報管理装置ＩＰアドレス（１９２．１６８．０．３）及び、印刷装置ＩＰアドレス（１９２．１６８．０．２）が入力される。
【０１４１】
端末側制御部７７は、情報管理装置ＩＰアドレス（１９２．１６８．０．３）を情報管理装置の識別子として一時記憶部２０に記憶する。
【０１４２】
情報管理装置７３において、管理側通信部８７は、自己のＩＰアドレス（１９２．１６８．０．３）宛ての通信を選択して受信することで端末ＩＰアドレス（１９２．１６８．０．１）と印刷装置ＩＰアドレス（１９２．１６８．０．２）、及び情報管理装置と印刷装置との関連付け設定コマンドを一時記憶部３３に記憶する。
【０１４３】
管理側制御部８９は、情報管理装置と印刷装置との関連付け設定コマンドを受信すると端末ＩＰアドレス（１９２．１６８．０．１）と印刷装置ＩＰアドレス（１９２．１６８．０．２）を格納部９０に記憶し、管理側通信部８７は通信回線１２に情報管理装置と印刷装置との関連付け設定コマンドに関連つけられた印刷装置ＩＰアドレス（１９２．１６８．０．２）宛てに情報管理装置のＩＰアドレス（１９２．１６８．０．３）と情報管理装置と印刷装置との関連付け設定コマンドを関連付けて送信する。
【０１４４】
印刷装置７２において、印刷側通信部８０は、自己のＩＰアドレス（１９２．１６８．０．２）宛ての通信を選択して受信することで情報管理装置のＩＰアドレス（１９２．１６８．０．３）と、情報管理装置と印刷装置との関連付け設定コマンドを一時記憶部３０に記憶する。
【０１４５】
印刷側制御部８４は、情報管理装置と印刷装置との関連付け設定コマンドを受信すると印刷側通信部８０から通信回線１２に、情報管理装置のＩＰアドレス（１９２．１６８．０．３）宛てに印刷装置ＩＰアドレス（１９２．１６８．０．２）と装置識別番号記憶部２４の装置識別番号を関連付けて送信させる。
【０１４６】
情報管理装置７３において、管理側通信部８７は、自己のＩＰアドレス（１９２．１６８．０．３）宛ての通信を選択して受信することで印刷装置ＩＰアドレス（１９２．１６８．０．２）と装置識別番号記憶部２４に記憶されていた装置識別番号を印刷装置の識別番号として格納部９０に記憶する。
【０１４７】
以後、印刷データ送信などユーザ端末７１から情報管理装置７３にデータを送信するときは、端末側通信部７６から一時記憶部２０内に記憶した情報管理装置７３のＩＰアドレス（１９２．１６８．０．３）を付与した印刷データを送信する。
また、印刷装置７２から情報管理装置７３の印刷データを取得するときは、印刷側通信部８０から一時記憶部３０内に記憶した情報管理装置７３のＩＰアドレス（１９２．１６８．０．３）を付与した処理コマンドのデータを送信する。
また、印刷データを情報管理装置７３から印刷装置７２に送信するときは、格納部９０に格納された印刷装置のＩＰアドレス（１９２．１６８．０．２）を付与したデータを送信することで通信相手を特定した通信を行う。
【０１４８】
次に、ユーザ端末と印刷装置の鍵生成閾値の決定処理について説明する。
ユーザ端末側で電源オン、印刷要求、又は、所定時間毎、又はユーザの操作によりユーザ端末７１と印刷装置７２で用いる鍵生成閾値の変更要求が発生する。
【０１４９】
この場合、ユーザ端末の端末側通信部７６は、端末側制御部７７により乱数を発生させて一時記憶部２０に乱数発生した鍵生成閾値（例えば３  ｈｅｘ）と印刷装置ＩＰアドレス（１９２．１６８．０．２）を関連付けて記憶する。
そして、端末側通信部７６は、印刷装置ＩＰアドレス（１９２．１６８．０．２）と端末ＩＰアドレス（１９２．１６８．０．１）を付与した鍵生成閾値（３  ｈｅｘ）（ｈｅｘは１６進数を意味する）と鍵変更指示命令を通信回線１２に送信する。
【０１５０】
印刷装置７２の印刷側制御部８４は、印刷側通信部８０で自己のＩＰアドレス（１９２．１６８．０．２）が付与された鍵変更指示命令を受信すると、一時記憶部３０に鍵生成閾値（３  ｈｅｘ）と該鍵生成閾値に付与されていた端末ＩＰアドレス（１９２．１６８．０．１）を関連付けて記憶する。そして、識別印刷待ちのデータが有る場合は識別印刷待ちのデータが無くなるまで古い鍵生成閾値を保持し、識別印刷待ちのデータが無くなると古い鍵生成閾値を削除する。
【０１５１】
印刷側制御部８４は、一時記憶部３０に鍵生成閾値を記憶させると、印刷側通信部８０から端末ＩＰアドレス（１９２．１６８．０．１）と印刷装置ＩＰアドレス（１９２．１６８．０．２）を付与した鍵生成閾値の記憶完了情報を通信回線１２に送信させる。
【０１５２】
ユーザ端末７１において、端末側通信部７６は自己のＩＰアドレス（１９２．１６８．０．１）が付与された鍵生成閾値の記憶完了情報を受信すると、鍵生成閾値の変更要求完了の表示を行い、処理を終了する。
また、端末側通信部７６は印刷側通信部８０のＩＰアドレスと端末側通信部７６のＩＰアドレスが付与された鍵生成閾値の記憶完了情報が、予め決められた時間内に受信できない場合は、ユーザ端末７１の一時記憶部２０に記憶した印刷側通信部８０のＩＰアドレス（１９２．１６８．０．２）と関連付けた鍵生成閾値（３ｈｅｘ）を使用不能に消去し、入力表示部１６にアラームを表示する。
また、印刷装置７２側で、Ｐｏｗ−ＯＮ又は、所定時間経過毎、又はユーザの操作によりユーザ端末７１と印刷装置７２で用いる鍵生成閾値の変更要求が発生する。
【０１５３】
この場合、印刷装置７２の印刷側通信部８０は、印刷側制御部８４に乱数を発生させて一時記憶部３０に乱数発生した新しい鍵生成閾値（例えば３  ｈｅｘ）と端末ＩＰアドレス（１９２．１６８．０．１）を関連付けて記憶する。また、識別印刷待ちのデータが有る場合は識別印刷待ちのデータが無くなるまで古い鍵生成閾値を保持し、識別印刷待ちのデータが無くなると古い鍵生成閾値を削除する。
そして、印刷側通信部８０は、端末ＩＰアドレス（１９２．１６８．０．１）と印刷装置ＩＰアドレス（１９２．１６８．０．２）を付与した鍵生成閾値（３  ｈｅｘ）と鍵変更指示命令を通信回線１２に送信する。
【０１５４】
ユーザ端末７１は、端末側通信部７６で自己のＩＰアドレス（１９２．１６８．０．１）が付与された鍵変更指示命令を受信すると、一時記憶部２０に鍵生成閾値（３  ｈｅｘ）と該鍵生成閾値に付与されていた印刷装置ＩＰアドレス（１９２．１６８．０．２）を関連付けて記憶する。
【０１５５】
端末側制御部７７は、一時記憶部２０に鍵生成閾値が記憶されると、端末側通信部７６から印刷装置ＩＰアドレス（１９２．１６８．０．２）と端末ＩＰアドレス（１９２．１６８．０．１）を付与した鍵生成閾値の記憶完了情報を通信回線１２に送信させる。
【０１５６】
印刷側通信部８０は自己のＩＰアドレス（１９２．１６８．０．２）が付与された鍵生成閾値の記憶完了情報を受信すると、鍵生成閾値の変更要求完了の印刷を出力し、処理を終了する。
また、印刷側通信部８０は端末側通信部７６のＩＰアドレスと自己のＩＰアドレスが付与された鍵生成閾値の記憶完了情報が、予め決められた時間内に受信できない場合は、印刷装置７２の一時記憶部３０に記憶した端末側通信部７６のＩＰアドレス（１９２．１６８．０．１）と関連付けた鍵生成閾値（３ｈｅｘ）を使用不能に消去し、印刷部２９にアラームを出力する。
【０１５７】
〈実施例３の動作〉
次に、本発明に係る印刷システム７０の動作をフローチャートに沿って説明する。
図１２は、本発明に係る印刷システムの実施例１における動作を示すフローチャートである。
【０１５８】
まず、ユーザ端末７１において、端末側制御部７７は、全体を制御する制御動作を行い、入力表示部１６に印刷を行うか否かの印刷問い合わせ画面を表示させる（ステップＳ３０１）。この入力表示部１６は、該画面を表示してユーザに入力させる（ステップＳ３０１）。
【０１５９】
ユーザが印刷コマンドを選択すると、端末側制御部７７は、印刷データ記憶部１７から印刷データを読み出して一時記憶部２０に一時的に記憶させる（ステップＳ３０２）。
例えば、印刷データとして「ＰＲＩＮＴ“Ｈｅｌｌｏ  ｗｏｒｌｄ”」が読み出され、一時記憶部２０に記憶される。
【０１６０】
また、端末側制御部７７は、入力表示部１６に認証カード挿入案内画面を表示させ、ユーザに認証カード１５を端末側読出部１８の挿入口に挿入させる（ステップＳ３０３）。
認証カード１５が挿入されると、端末側読出部１８は、図示しないセンサで認証カード１５が読出し可能な所定の場所にあることを検知すると、認証カード１５の認証情報記憶部から認証情報を読み出す（ステップＳ３０４）。
例えば、認証カード１５の認証情報として識別情報ＩＤ「００１２  ｈｅｘ」（ｈｅｘは１６進数を表す）が読み出される。この読み出された認証情報は、端末側制御部７７によって、一時記憶部２０に印刷データに対応して記憶される（ステップＳ３０４）。
【０１６１】
続いて、暗号化実行部７４における暗号鍵生成部分７８は、この認証情報に基づいて印刷データを暗号化するための暗号鍵を生成し（ステップＳ３０５）、暗号化部分７９は、この生成された暗号鍵に基づいて一時記憶部２１に記憶されている印刷データを暗号化する（ステップＳ３０６）。
例えば、暗号鍵生成部分７８は、認証カード１５から読み出した識別情報のＩＤ「００１２ｈｅｘ」と、印刷を指示する印刷装置７２の印刷側通信部８０のＩＰアドレス（１９２．１６８．０．２）と関連付けた鍵生成閾値（３ｈｅｘ）を読出し、該識別情報（００１２ｈｅｘ）と鍵生成閾値（３ｈｅｘ）を加算し、暗号鍵（１５ｈｅｘ）を得る。
また、暗号化部分７９は、印刷データとして「ＰＲＩＮＴ“Ｈｅｌｌｏ  ｗｏｒｌｄ”」文字列をＡＳＣＩＩコード変換し、「５０、５２、４９、４Ｅ、５４、２２、４８、６５、６Ｃ、６Ｃ、６Ｆ、７７、２０、７７、６Ｆ、７２、６Ｃ、６４、２２」ｈｅｘとする。
また、暗号化部分７９は、印刷データからＭＤ５（Ｍｅｓｓａｇｅ  Ｄｉｇｅｓｔ  Ａｌｇｏｒｉｔｈｍ  ５）等のチェックサムを得る。
続いて、暗号化部分７９は、ＡＳＣＩＩコード変換された印刷データ１バイト毎に暗号鍵（１５ｈｅｘ）を加えた印刷データ「６５、６７、５Ｅ、６３、６９、３７、５Ｄ、７Ａ、８１、８１、８４、８Ｃ、３５、８Ｃ、８４、８７、８１、７９、３７」ｈｅｘに暗号データが正常に復号したかどうかを確認するために前記印刷データから得たチェックサムを付与した暗号印刷データを出力する。
【０１６２】
また、端末側結果取得部７５は、この認証情報に対して、所定の演算式を用いて、所定演算を行い、認証情報に対応する演算結果を取得する（ステップＳ３０７）。
この演算結果は、例えば、所定長さのビット列であり、一時記憶部２１に記憶される（ステップＳ３０７）。
即ち、端末側結果取得部７５は、例えば、印刷データと同様に識別情報からＭＤ５等の識別情報チェックサムを得る。
続いて、端末側結果取得部７５は、識別情報１バイト毎に暗号鍵（１５ｈｅｘ）を加算し、さらに識別情報チェックサムを付与し、演算結果として端末側暗号化識別情報を一時記憶部２０に記憶する。
【０１６３】
そして、端末側通信部７６は、印刷データと演算結果とを情報管理装置７３に送信する（ステップＳ３０８）。
例えば、暗号印刷データに情報管理装置ＩＰアドレス（１９２．１６８．０．３）と端末ＩＰアドレス（１９２．１６８．０．１）と演算結果である端末側暗号化識別情報を付与して通信回線１２に送信する。
【０１６４】
次に、情報管理装置７３において、管理側制御部８９は、管理側通信部８７に、ユーザ端末７１から印刷データ及び演算結果を受信し（ステップＳ３０９）、格納部９０に受信した印刷データ及び演算結果を格納させる（ステップＳ３０９）。
例えば、管理側制御部８９は、管理側通信部８７で管理側通信部８７のＩＰアドレス（１９２．１６８．０．３）が付与された暗号印刷データを受信すると、一時記憶部３３に、暗号印刷データと、暗号印刷データに付与された端末ＩＰアドレス（１９２．１６８．０．１）及び端末側暗号化識別情報とユニークなデータ識別情報として受信した時刻情報を関連付けて記憶する。
【０１６５】
また、印刷装置７２において、ユーザが空いている印刷装置７２に行って、自分の認証カード１５を用いて印刷側読出部２６の挿入口に該認証カード１５を挿入すると、印刷側読出部２６は、図示しないセンサで認証カード１５が読出し可能な所定の場所にあることを検知すると、認証カード１５から認証情報として識別情報ＩＤ「００１２ｈｅｘ」を読み出す（ステップＳ３１０）。
【０１６６】
認証情報が読み出されると、印刷側結果取得部８１は、この読み出された認証情報に対して、所定の演算式を用いて、所定演算を行い、該認証情報に対応する演算結果を取得する（ステップＳ３１１）。
この演算結果は、所定長さのビット列となり、一時記憶部３０に記憶される（ステップＳ３１１）。
例えば、復号鍵生成部分８５は端末ＩＰアドレス（１９２．１６８．０．１）に対応する鍵生成閾値（３  ｈｅｘ）を読み出し、鍵生成閾値（３  ｈｅｘ）と識別情報（００１２ｈｅｘ）を加算して復号鍵（１５  ｈｅｘ）を生成する。
そして、印刷側結果取得部８１は所定演算の例としては、識別情報からＭＤ５等の識別情報チェックサムを得て付与し、印刷側暗号化識別情報を演算する。この結果を演算結果として一時記憶部３０に記憶する。
【０１６７】
そして、情報管理装置７３から暗号印刷データを選択して印刷装置７２に送付する例として、印刷装置７２の印刷側制御部８４は、装置識別番号記憶部２４から装置識別番号であるＩＰアドレス（１９２．１６８．０．２）を読み出して（ステップＳ３１２）、印刷側通信部８０に、情報管理装置７３のＩＰアドレス（１９２．１６８．０．３）と関連付けて装置ＩＰアドレス（１９２．１６８．０．２）と端末ＩＰアドレス（１９２．１６８．０．１）及び該端末ＩＰアドレスに関連付けて記憶した印刷側暗号化識別情報を付与して情報管理装置７３へ送信させる（ステップＳ３１３）。
【０１６８】
続いて、情報管理装置７３において、管理側制御部８９は、管理側通信部８７に、印刷装置７２から装置識別番号であるＩＰアドレス（１９２．１６８．１０２．２）と、端末ＩＰアドレス（１９２．１６８．０．１）及び該端末ＩＰアドレスに関連付けて記憶した印刷側暗号化識別情報を受信させ、一時記憶部３３に記憶させる（ステップＳ３１４）。
この装置識別番号及び暗号化識別情報が受信されて記憶されると、管理側判定部８８は、格納部９０を検索して、この受信された暗号化識別情報と一致する暗号化識別情報を判定して該暗号化識別情報に対応する印刷データを判定する（ステップＳ３１５）。
また、別の情報管理装置７３から暗号印刷データを選択して印刷装置７２に送付する例としては、印刷装置７２の印刷側読出部２６にて、認証カード１５の認証情報が読み出されると、装置識別番号記憶部２４から装置識別番号であるＩＰアドレス（１９２．１６８．０．２）を読み出して（ステップＳ３１２）、印刷側通信部８０に、情報管理装置７３のＩＰアドレス（１９２．１６８．０．３）と関連付けて装置ＩＰアドレス（１９２．１６８．０．２）と端末側暗号化識別情報要求指示を出力させる。
【０１６９】
情報管理装置７３において管理側制御部８９は、管理側通信部８７が、印刷装置７２から装置識別番号であるＩＰアドレス（１９２．１６８．１０２．２）と端末側暗号化識別情報要求指示を受信すると、管理側判定部８８は、管理側通信部８７に格納部９０に格納された端末側暗号化識別情報とユニークなデータ識別情報を関連付けて装置識別番号であるＩＰアドレス（１９２．１６８．１０２．２）宛てに送信させる。
【０１７０】
印刷装置７２の復号化実行部８３では、受信した端末側暗号化識別情報からチェックサムを除いた値を復号鍵（１５  ｈｅｘ）で復号し、復号した識別情報の値のＭＤ５チェックサムを求め、復号した値のチェックサムと、端末側で端末側暗号化識別情報に付与されていたチェックサムが同じならば正常に復号されたと判断する。そして、復号化実行部８３は、正常に復号化できた端末側暗号化識別情報に関連付けられたデータ識別情報を抽出し、該データ識別情報と暗号化印刷データの要求命令を情報管理装置７３のＩＰアドレス（１９２．１６８．０．３）と装置識別番号であるＩＰアドレス（１９２．１６８．１０２．２）を関連付けて出力させる。
【０１７１】
情報管理装置７３において管理側制御部８９は、管理側通信部８７にて装置識別番号であるＩＰアドレス（１９２．１６８．１０２．２）が関連付けられた印刷装置７２の装置識別番号であるＩＰアドレス（１９２．１６８．１０２．２）とデータ識別情報と暗号化印刷データの要求命令を受信すると、管理側判定部８８は、格納部９０を検索して、該データ識別情報が付与された暗号印刷データを抽出する。
【０１７２】
印刷データが判定されると、管理側通信部８７は、受信した装置識別番号であるＩＰアドレス（１９２．１６８．１０２．２）宛てに判定された暗号印刷データ及び検索結果である端末側暗号化識別情報を印刷装置７２へ送信する（ステップＳ３１６）。
尚、本実施例において、印刷データが情報管理装置７３から印刷装置７２へ送信されると、管理側制御部８９は、格納部９０からこの印刷データを削除する。
【０１７３】
そして、印刷装置７２において、印刷側制御部８４は、印刷側通信部８０に、情報管理装置７３から演算結果及び印刷データを受信させ、一時記憶部３０に記憶させる（ステップＳ３１７）。
【０１７４】
続いて、印刷側判定部８２は、一時記憶部３０を検索して、取得された演算結果と一致する演算結果を判定して該演算結果に対応する印刷データを判定する（ステップＳ３１８）。
【０１７５】
印刷データが判定されると、復号化実行部８３の復号鍵生成部分８５は、読み出された認証情報に基づいて印刷データを復号化するための復号鍵を生成し（ステップＳ３１９）、復号化部分８６は、生成された復号鍵に基づいて印刷データを復号化する（ステップＳ３２０）。
例えば、復号化部分８６は、暗号印刷データからチェックサムを除く「６５、６７、５Ｅ、６３、６９、３７、５Ｄ、７Ａ、８１、８１、８４、８Ｃ、３５、８Ｃ、８４、８７、８１、７９、３７」ｈｅｘを抜き出し、１バイト毎に復号鍵（１５  ｈｅｘ）を減算し、暗号化が解除された「５０、５２、４９、４Ｅ、５４、２２、４８、６５、６Ｃ、６Ｃ、６Ｆ、７７、２０、７７、６Ｆ、７２、６Ｃ、６４、２２」ｈｅｘを得る。
さらに、復号化部分８６は、ＡＳＣＩＩコード文字コード変換を掛けて印刷データの「ＰＲＩＮＴ“Ｈｅｌｌｏ  ｗｏｒｌｄ”」を得る。
また、復号化部分８６は、暗号化が解除された印刷データからＭＤ５等のチェックサムを得て、暗号化印刷データに付与されたチェックサムと比較し、合っていれば正しく復号化されているとして印刷処理を指示し、異なっているとデータ不整合エラーを表示させる。
【０１７６】
印刷データが復号されると、印刷部２９は、印刷データを印刷用紙のような記録媒体に印刷して、印刷された用紙を印刷済み記録媒体として排出する（ステップＳ３２１）。
そして、印刷側制御部８４は、この処理を終了する。
【０１７７】
〈実施例３の効果〉
本発明に係る実施例１によれば、印刷済み記録媒体が他人に取られるのを防止することができる。また、長時間の印刷待ちが不要となり、ユーザにとって利便性の高い印刷システムを提供することができる。更に、印刷データが暗号化された後にユーザ端末から情報管理装置を介して印刷装置へ送信されるので、印刷データの守密性を向上することができる。
また、ユーザ端末から印刷装置へ認証情報を直接送信することなく、この認証情報を代えて、該認証情報に対する所定演算を行った後の演算結果を送信するので、印刷データの守密性をより一層向上することができる。
【０１７８】
尚、実施例３において、ユーザ端末にランダム数を発生するランダム数発生器を更に設けることができる。
そして、ユーザ端末において、暗号化実行部の暗号鍵生成部分は、認証情報及び発生されたランダム数に基づいて暗号鍵を生成し、暗号化部分は、生成された暗号鍵に基づいて印刷データを暗号化し、端末側通信部は、認証情報及び印刷データを送信すると共に、更にランダム数を印刷装置に送信することができる。
また、印刷装置において、復号化実行部の復号鍵生成部分は、受信したランダム数及び読み出された認証情報に基づいて復号鍵を生成し、復号化部分は、生成された復号鍵に基づいて印刷データを復号化することができる。
尚、上記各実施例では情報管理装置に１つの印刷装置のＩＰアドレス及び装置識別番号を登録する例となっているが、ＩＰアドレス及び装置識別番号の異なる複数の印刷装置を扱ってもよい。
また、各実施例では１つの情報管理装置を扱う例としているが、ＩＰアドレスの異なる複数の情報管理装置をそれそれ別々に設定し、プリンタ側に複数の情報処理装置のＩＰアドレスを登録し、この場合、印刷装置１３から各情報管理装置の印刷データを取得するために、印刷側通信部２５から一時記憶部３０内に記憶した各情報管理装置のＩＰアドレス毎に対応するＩＰアドレスを付与した処理コマンドのデータを送信してもよい。
また、印刷装置が別体で、複数有るユーザ端末の１つと管理装置の１つを一体に構成してもよい。
又は、ユーザ端末が別体で、いずれかの印刷装置の１つと管理装置の１つが一体に構成してもよい。
【０１７９】
また、上記した各実施例では、印刷装置が画像形成装置として利用されているが、この印刷装置に変えて、例えば、複写機、ファクシミリ装置などの印刷機能を有するそれぞれの機械を採用することができる。
また、上記した各実施例では、情報管理装置を利用されているが、これに代えて、情報管理ユニットを採用することができる。そして、この情報管理ユニットを複数のユーザ端末のいずれかに設けても良く、複数の印刷装置のいずれかに設けてもよい。
【図面の簡単な説明】
【０１８０】
【図１】本発明に係る印刷システムの実施例１における構成を示すブロック図である。
【図２】本発明に係る実施例１における格納部の構成を示す説明図である。
【図３】本発明に係る印刷システムの実施例１における動作を示すフローチャートである。
【図４】本発明に係る印刷システムの実施例２における構成を示すブロック図である。
【図５】本発明に係る実施例２における格納部の構成を示す説明図である。
【図６】本発明に係る印刷システムの実施例２における動作を示すフローチャートである（その１）。
【図７】本発明に係る印刷システムの実施例２における動作を示すフローチャートである（その２）。
【図８】確認問い合わせ画面を示す説明図である。
【図９】削除問い合わせ画面を示す説明図である。
【図１０】削除／印刷問い合わせ画面を示す説明図である。
【図１１】本発明に係る印刷システムの実施例３における構成を示すブロック図である。
【図１２】本発明に係る印刷システムの実施例３における動作を示すフローチャートである。
【符号の説明】
【０１８１】
１０、４０、５０、６０  印刷システム
１１、４１、７１  ユーザ端末
１３、４２、７２、  印刷装置
１４、４３、７３  情報管理装置
１５  認証カード
１７  印刷データ記憶部
１８  端末側読出部
３４、５４、９０  格納部
２６  印刷側読出部
【図１】
2008262550.tif 000003
【図２】
2008262550.tif 000004
【図３】
2008262550.tif 000005
【図４】
2008262550.tif 000006
【図５】
2008262550.tif 000007
【図６】
2008262550.tif 000008
【図７】
2008262550.tif 000009
【図８】
2008262550.tif 000010
【図９】
2008262550.tif 000011
【図１０】
2008262550.tif 000012
【図１１】
2008262550.tif 000013
【図１２】
2008262550.tif 000014